(57)【要約】【課題】  制御情報の表示を、左右勝手に応じた見やすい表示にする。【解決手段】    開閉体１０を巻き取ったり繰り出したりする巻取装置において、制御情報の画像を表示する表示部５４ｂ１と、この表示部５４ｂ１に表示される前記画像の向きを反転する表示反転手段とを具備している。【選択図】  図６
2019218758.tif 000002
【特許請求の範囲】
【請求項１】
開閉体を巻き取ったり繰り出したりする巻取装置において、
制御情報の画像を表示する表示部と、この表示部に表示される前記画像の向きを反転する表示反転手段とを具備していることを特徴とする巻取装置。
【請求項２】
外部から操作された状態を機械的に自己保持する操作スイッチを備え、
前記表示反転手段は、前記操作スイッチの操作に応じて前記画像の向きを反転することを特徴とする請求項１記載の巻取装置。
【請求項３】
前記開閉体の上端側が止着される巻取体と、前記巻取体をその内側から回転可能に支持する固定軸と、前記固定軸に一体的に設けられて前記巻取体に回転力を伝達する開閉機と、前記固定軸に一体的に設けられて前記開閉機を制御する制御部とを備え、前記制御部が、前記表示反転手段として機能することを特徴とする請求項１又は２記載の巻取装置。
【請求項４】
前記巻取体は、その外周部に、径方向へ貫通する貫通部を有し、
前記表示部は、前記貫通部を介して前記巻取体の外部から視認されるように、前記巻取体内に配置されていることを特徴とする請求項３記載の巻取装置。
【請求項５】
前記制御部は、前記巻取体内の空間に設けられ、前記固定軸の中心線を含む仮想平面を境にした一方側に位置する本体ケース部と、前記仮想平面を境にした他方側に位置し前記本体ケース部に接続された補助ケース部とを有するとともに、これら本体ケース部と補助ケース部によって前記固定軸の外周面の一部を周方向に覆っていることを特徴とする請求項３又は４記載の巻取装置。
【請求項６】
前記制御部には、コード読取り装置によって読取り可能なコード表示部が設けられ、このコード表示部に含まれる情報は、前記制御部に関する情報、又は前記制御部に関連付けされた情報であることを特徴とする請求項１〜５何れか１項記載の巻取装置。
【請求項７】
請求項１〜６何れか１項記載の巻取装置を具備することを特徴とする開閉装置。
【発明の詳細な説明】
【技術分野】
【０００１】
本発明は、例えばシャッター装置やオーニング装置、ロールブラインド装置等に用いられる開閉体を巻き取る巻取装置、及び該巻取装置を具備した開閉装置に関するものである。
【背景技術】
【０００２】
従来、この種の発明には、例えば特許文献１に記載されるように、空間を仕切るようにして閉鎖動作する開閉体と、この開閉体をその開放方向側で巻き取ったり繰り出したりする巻取体と、この巻取体内で該巻取体を駆動回転する回転駆動源と、前記巻取体内にて前記回転駆動源を制御する制御部と、これらを収納する収納ケースとを備え、前記回転駆動源及び前記制御部を開閉体幅方向の右寄り又は左寄りに偏って配置するようにした開閉装置がある。
このような開閉装置では、前記回転駆動源及び前記制御部を開閉体幅方向の右寄りに配置するか、あるは左寄りに配置するかは、設置現場の状況やメンテナンス性等を考慮して決められるのが一般的である。なお、前記右寄りの配置と前記左寄りの配置は、それぞれ、右勝手、左勝手と呼称される場合がある。
そして、例えば、右勝手の開閉装置を左勝手の開閉装置にする場合には、一体的に構成された巻取体、回転駆動源及び制御部等について、開閉体幅方向の略中心部を軸にして１８０度回転させて、これらの上下左右を入れ替えることになる。
【先行技術文献】
【特許文献】
【０００３】
【特許文献１】特開２０１７−１５０２６２号公報（図１参照）
【発明の概要】
【発明が解決しようとする課題】
【０００４】
近年、上記のような従来の開閉装置では、運転状態や、開閉動作回数、障害物感知の履歴等の各種制御情報を、わかり易く報知することが求められている。
そこで、例えば、制御部に、前記制御情報を表示するための表示部を設けることが考えられるが、このようにした場合には、前記のように右勝手と左勝手の場合で、前記表示部に表示される文字等が逆になるため、視認し難くなるおそれがある。
また、従来の開閉装置では、開閉体を巻き取ったり繰り出したりする巻取装置を予め製造しておくことがあるが、その製造時点では、右勝手と左勝手のいずれで用いられるかが不明であることが多い。そこで、製造段階では左右勝手両者共通の仕様とし、製造後、受注時や開閉装置に取り付ける際等、左右勝手が判明した際に、その勝手に応じた構造を容易に適用できると便利である。
【課題を解決するための手段】
【０００５】
このような課題に鑑みて、本発明は、以下の構成を具備するものである。
開閉体を巻き取ったり繰り出したりする巻取装置において、制御情報の画像を表示する表示部と、この表示部に表示される前記画像の向きを反転する表示反転手段とを具備していることを特徴とする巻取装置。
【発明の効果】
【０００６】
本発明は、以上説明したように構成されているので、制御情報の表示を、左右勝手に応じた見やすい表示にすることができる。
【図面の簡単な説明】
【０００７】
【図１】本発明に係る開閉装置の一例を示す正面図であり、収納部については内部構造を示している。
【図２】図１の（II）−（II）線に沿う断面図である。
【図３】図１の巻取装置について、制御部の要部を示す正面図である。
【図４】同開閉装置の一例を示す正面図であり、収納部の内部構造について、巻取装置の上下左右を入れ替えた状態としている。
【図５】図４の（V）−（V）線に沿う断面図である。
【図６】図４の巻取装置について、制御部の要部を示す正面図である。
【発明を実施するための形態】
【０００８】
本実施の形態では、以下の特徴を開示している。
第一の特徴は、開閉体を巻き取ったり繰り出したりする巻取装置において、制御情報の画像を表示する表示部と、この表示部に表示される前記画像の向きを反転する表示反転手段とを具備している。
ここで、前記制御情報の概念には、例えば、障害物感知装置の感度や、エラーコード、各種設定値、巻取体の回転速度等を含む。
また、前記表示反転手段は、具体例としては、７セグメントＬＥＤや液晶パネルからなる表示装置や、この表示装置を制御する制御回路等を含む構成とすればよい。
前記構成によれば、巻取装置の上下左右を入れ替えた際に、表示部に表示される画像の向きを表示反転手段によって反転させることができる。
【０００９】
第二の特徴は、外部から操作された状態を機械的に自己保持する操作スイッチを備え、前記表示反転手段は、前記操作スイッチの操作に応じて前記画像の向きを反転する。
この構成によれば、表示部に表示される画像の向きを、操作スイッチの状態に応じて機械的に保持することができる。
【００１０】
第三の特徴として、前記開閉体の上端側が止着される巻取体と、前記巻取体をその内側から回転可能に支持する固定軸と、前記固定軸に一体的に設けられて前記巻取体に回転力を伝達する開閉機と、前記固定軸に一体的に設けられて前記開閉機を制御する制御部とを備え、前記制御部が、前記表示反転手段として機能する。
この構成によれば、好ましい具体的な態様として、巻取体内の制御部の指令によって表示部に表示される画像の向きを反転させることができる。
【００１１】
第四の特徴として、前記巻取体は、その外周部に、径方向へ貫通する貫通部を有し、前記表示部は、前記貫通部を介して前記巻取体の外部から視認されるように、前記巻取体内に配置されている。
この構成によれば、貫通部によって表示部の視認性を向上することができる。
【００１２】
第五の特徴として、前記制御部は、前記巻取体内の空間に設けられ、前記固定軸の中心線を含む仮想平面を境にした一方側に位置する本体ケース部と、前記仮想平面を境にした他方側に位置し前記本体ケース部に接続された補助ケース部とを有するとともに、これら本体ケース部と補助ケース部によって前記固定軸の外周面の一部を周方向に覆っている。
この構成によれば、巻取体内の空間を有効に利用することができる上、制御部を固定軸に対し頑強に保持させることができる。
【００１３】
第六の特徴として、前記制御部には、コード読取り装置によって読取り可能なコード表示部が設けられ、このコード表示部に含まれる情報は、前記制御部に関する情報、又は前記制御部に関連付けされた情報である。
この構成によれば、制御部に関する多くの情報を、コード表示部及びコード読取り装置等によって、作業者等へ認識させることができる。
【００１４】
また、第七の特徴は、上記巻取装置を具備して、開閉装置を構成した。
【００１５】
＜具体的実施態様＞
次に、上記特徴を有する具体的な実施態様について、図面に基づいて詳細に説明する。
なお、本明細書中において「開閉体厚さ方向」とは、閉鎖状態の上記開閉体の厚さ方向を意味する。本明細書中において「開閉体幅方向」とは、上記開閉体の開閉方向と略直交する方向であって、該開閉体の厚さ方向ではない方向を意味する。また、本明細書中において「開閉体開閉方向」とは、上記開閉体が空間を仕切ったり開放したりするためにスライドする方向を意味する。
【００１６】
図１は、本発明に係る巻取装置を備えた開閉装置の一例を示す。
この開閉装置Ａは、空間を仕切るようにして閉鎖動作する開閉体１０と、この開閉体１０を幅方向の両側で開閉方向へ案内するガイドレール２０と、開閉体１０をその開放方向側で収納したり繰り出したりする収納部３０と、当該開閉装置Ａを無線で遠隔操作するリモコン装置４０とを備え、収納部３０内の巻取装置５０について上下左右を入れ替えて設置可能なシャッター装置を構成している。
図１の開閉装置Ａでは、開閉機５３及び制御部５４等を右寄りに配置した右勝手に構成される。
【００１７】
開閉体１０は、横長略矩形状の金属板を曲げ加工してなるスラット１１を、上下に隣接する該スラット間で回動するように複数連接してなる開閉体本体１０ａと、この開閉体本体１０ａの閉鎖方向端部に接続されて全閉時の当接対象部位に当接する座板部材１０ｂとを具備し、複数のスラット１１の上端側を巻取体５１の外周部に止着している。
【００１８】
なお、開閉体１０の他例としては、単数もしくは複数のパネルや、シート状物、ネット状物を開閉方向へ配設してなる態様、あるいはスラット、パネル、パイプ、シート状物、ネット状物等を適宜に組み合わせてなる態様等とすることが可能である
【００１９】
ガイドレール２０は、開閉体幅方向の両側にそれぞれ設けられ、開閉体１０における全閉時の当接対象部位（例えば地面や床面）と、収納部３０の間にわたる長尺状に形成される。各ガイドレール２０は、開閉体１０の幅方向の端部を横断面凹状に囲んで、開閉方向へ案内する。
【００２０】
収納部３０は、収納ケース３１内に、開閉体１０を巻き取ったり繰り出したりする巻取装置５０を具備している。
【００２１】
収納ケース３１は、開閉体幅方向へ長尺な中空箱状の部材であり、その下側壁面に開閉体幅方向へ長尺な開口部３１ａを有し、この開口部３１ａに、開閉体１０を挿通させている。なお、この収納ケース３１の他例としては、壁面を有さない枠状に形成することも可能である。
この収納ケース３１の下部面には、蓋部材の着脱によって開閉される点検口３１ｂも設けられている。この点検口３１ｂは、制御部５４の下方側に位置し、開閉機５３及び制御部５４等を通過可能であって、且つ表示部５４ｂ１を視認可能な大きさに形成され、開閉可能な扉体により閉鎖されている。
したがって、開閉体１０をある程度繰り出した状態で、点検口３１ｂを開放すれば、制御部５４への操作や、開閉機５３及び制御部５４に対するメンテナンス作業等を容易に行うことができる。
【００２２】
巻取装置５０は、開閉体１０の上端側が止着される巻取体５１と、巻取体５１をその内側から回転可能に支持する固定軸５２と、固定軸５２に一体的に設けられて巻取体５１に回転力を伝達する開閉機５３と、固定軸５２に一体的に設けられて開閉機５３を制御する制御部５４とを備える。
【００２３】
巻取体５１は、固定軸５２の周囲で、周方向に間隔を置いて略平行に配設されて当該巻取体５１の外周部を構成する複数の棒状部材５１ａと、これら棒状部材５１ａを外周部に支持するように開閉体幅方向に間隔を置いて設けられた複数の支持板５１ｂとを備える。このような巻取体５１の態様は、かご型と呼称される場合がある。
そして、この巻取体５１は、周方向に隣接する二つの棒状部材５１ａ，５１ａの間を、当該巻取体５１の外周部を径方向へ貫通する貫通部５１ｃにしている。この貫通部５１ｃは、ユーザーインタフェース５４ｂの目視や操作を可能にする。
【００２４】
支持板５１ｂは、外周部に棒状部材５１ａを嵌合して支持する略円盤状の部材であり、その中心部側がベアリング等を介して固定軸５２に対し回転自在に支持されている。
【００２５】
また、固定軸５２は、金属等の硬質材料から長尺な円筒状又は円柱状に構成され、巻取体５１の中心部に挿通され、その両端側が、図示しないブラケット等を介して収納ケース３１に回転不能に固定されている。
【００２６】
開閉機５３は、直流又は交流の回転式電動機であり、その出力回転軸を固定軸５２に略平行させて、固定軸５２に固定支持されている。
この開閉機５３の出力回転軸の回転力は、駆動回転部５３ａによって巻取体５１へ伝達される。この開閉機５３は、必要に応じて、回転速度を切替可能に構成される。
【００２７】
駆動回転部５３ａは、外周部に棒状部材５１ａを嵌合する凹部を有する略円盤状の部材であり、その中心側が、ベアリング等を介して固定軸５２に対し回転自在に支持されている。そして、この駆動回転部５３ａには、図示しない複数のギヤを介して、開閉機５３の回転力が伝達される。
したがって、開閉機５３の出力回転軸が回転すると、その回転力によって巻取体５１が回転する。
【００２８】
制御部５４は、巻取体５１内の空間に設けられ、ケース５４ａ内に、マイコンやリレー、記憶装置、無線受信機等からなる制御回路を備える。
この制御部５４は、ケース５４ａの開口部５４ａ１１を介して、ケース５４ａ外に、ユーザーインタフェース５４ｂを露出する。ケース５４ａを構成する蓋部材５４ａ１の表面には、制御部５４の設定内容や操作方法等を表示したラベル５４ｄが貼着されている。
この制御部５４は、前記制御回路を、予め記憶したプログラムにより動作させることで、ユーザーインタフェース５４ｂの表示部５４ｂ１に制御情報の画像を表示するとともに、その画像の向きを、操作スイッチ５４ｂ２の操作に応じて反転する表示反転手段として機能する。
【００２９】
より具体的に説明すれば、前記表示反転手段は、操作スイッチ５４ｂ２の操作に応じて、表示部５４ｂ１に表示される画像を略１８０度回転させて、その画像の上下左右を逆にする。
したがって、巻取装置５０全体について、その上下左右を入れ替える際に操作スイッチ５４ｂ２を操作すれば、その入れ替えの前と後で、前記画像（例えば、「０３５」）が、何れも正向きに視認される（図３及び図６参照）。
【００３０】
この制御部５４、特に操作スイッチ５４ｂ２や表示部５４ｂ１は、メンテナンス性等の観点より、点検口３１ｂの近傍にあることが望ましく、さらには、巻取体５１の中心を通る水平断面を下方に投影した範囲内に位置することが好ましい。
【００３１】
ケース５４ａは、図２に示すように、径方向において開閉機５３の逆側に位置し、開閉機５３との間に固定軸５２を挟むように設けられる。
このケース５４ａは、固定軸５２の中心線を含む仮想平面Ｐを境にした一方側（図２によれば左側）に位置する本体ケース部５４ａ２と、前記仮想平面Ｐを境にした他方側（図２によれば右側）に位置するとともに本体ケース部５４ａ２に一体化された補助ケース部５４ａ３と、本体ケース部５４ａ２の前面側を覆う蓋部材５４ａ１とを有し、前記本体ケース部５４ａ２と補助ケース部５４ａ３によって固定軸５２の外周面の一部を周方向に覆っている。
【００３２】
本体ケース部５４ａ２及び補助ケース部５４ａ３には、ユーザーインタフェース５４ｂを有する制御回路等が装着される。
【００３３】
蓋部材５４ａ１は、貫通孔状の開口部５４ａ１１が設けられ、この開口部５４ａ１１を介して、表示部５４ｂ１を含むユーザーインタフェース５４ｂを、外部へ露出させている。
【００３４】
上記のようなケース構造によれば、例えば制御回路を構成するための部品等を補助ケース部５４ａ３に収容して、巻取体５１内の空間を有効に利用することができる。その上、制御部５４全体を固定軸５２に対し頑強に固定することができる。
【００３５】
また、ユーザーインタフェース５４ｂは、図示例によれば、ケース５４ａの上下方向の中央寄りに設けられる。なお、他例としては、このユーザーインタフェース５４ｂをケース５４ａの上寄りや下寄りに設けることも可能である。
このユーザーインタフェース５４ｂは、図３に示すように、図示しない障害物感知装置の感度や、エラーコード、各種設定値、巻取体５１の回転速度等を表示する表示部５４ｂ１と、外部から操作された状態を機械的に自己保持する操作スイッチ５４ｂ２とを備えている。
さらに、このユーザーインタフェース５４ｂには、表示部５４ｂ１を介して外部から視認できるように、コード表示部５４ｃが設けられている。
【００３６】
表示部５４ｂ１は、図示例によれば７セグメントＬＥＤであり、ケース５４ａ内の図示しない制御回路に電気的に接続されている。この表示部５４ｂ１の他例としては、液晶ディスプレイや、その他の表示装置とすることも可能である。
そして、この表示部５４ｂ１は、巻取装置５０と共に巻取体５１内に位置し、周方向に隣接する棒状部材５１ａ，５１ａ間の貫通部５１ｃを介して、巻取体５１の外部から視認される。
【００３７】
操作スイッチ５４ｂ２は、図示例によれば４ビットのディップスイッチであり、そのオンオフパターンに応じて、複数パターンの接点信号を出力し、その接点信号を、ケース５４ａ内の図示しない制御回路へ入力する。
前記複数パターンの接点信号には、巻取装置５０の上下左右の向きに応じて、表示部５４ｂ１に表示される画像の向きを正向き（図３参照）又は逆向き（図６参照）にする指令が含まれる。
【００３８】
一例としては、操作スイッチ５４ｂ２を構成する四つのスイッチのうち、１ビット目のスイッチを、表示部５４ｂ１に表示される画像の向きを反転させて、その反転状態を機械的に自己保持するスイッチとし、他のビットの複数のスイッチを、開閉速度を変更するスイッチに用いる。
【００３９】
なお、操作スイッチ５４ｂ２は、複数パターンの接点信号の出力状態を機械的に自己保持するものであればよく、他例としては、ロータリディップスイッチや、その他の単数もしくは複数の自己保持スイッチに置換することが可能である。
【００４０】
また、コード表示部５４ｃは、コード読取り装置によって読取り可能な画像であり、例えば、ＱＲコードや、バーコード等とすることが可能である。このコード表示部５４ｃの情報は、制御部５４に関する情報、又は制御部５４に関連付けされた情報である。
ここで、前記コード読取り装置は、コード表示部５４ｃを読取ってその読取り情報を表示するものであればよく、例えば、専用プログラムをインストールした携帯端末（具体的にはスマートフォンや、腕時計型携帯端末等）、又はその他の携帯型読取り装置等とすればよい。
また、コード表示部５４ｃに含まれる具体的な情報は、例えば、ラベル５４ｄに記載の情報や、ラベル５４ｄに記載されていない詳細情報等であって、当該開閉装置Ａの操作方法や、各種エラーコードの説明等とすればよい。
【００４１】
なお、本実施態様では、コード表示部５４ｃに含まれる情報に、直接、制御部５４に関する情報を含ませるようにしたが、他例としては、コード表示部５４ｃに、前記携帯端末等によりアクセスされるサーバーコンピュータのアドレス等の情報を含ませ、前記サーバーコンピュータには制御部５４に関連付けさた情報を保存し、前記携帯端末等が前記サーバーコンピュータから制御部５４に関連付けされた情報を呼び込んで表示する態様とすることも可能である。
【００４２】
また、リモコン装置４０は、図１に示すように、矩形状等のケース４４の表面に、開閉体１０を開放動作させるための開スイッチ４１、開閉体１０の動作を停止するための停止スイッチ４２、開閉体１０を閉鎖動作させるための閉スイッチ４３等の操作スイッチを露出するとともに、ケース４４内に、前記スイッチの操作に応じて開放指令、閉鎖指令、停止指令等の無線信号を、制御部５４へ送信する制御回路及び送信機等を具備している。
【００４３】
次に、上記構成の開閉装置Ａにおいて、巻取装置５０の上下左右を入れ替えた場合の作用効果について説明する（図４〜図６参照）。
図４の開閉装置Ａ’では、開閉機５３及び制御部５４等を左寄りに配置した左勝手の構成としている。
【００４４】
巻取装置５０の上下左右の入れ替えは、当該開閉装置Ａ’の製造過程、又は、設置現場で行われる。
【００４５】
具体的に説明すれば、巻取装置５０は、図１に示す態様に対し、上下左右を入れ替えた状態で、収納ケース３１にセットされる（図４及び図５参照）。
この際、操作スイッチ５４ｂ２に対する手動操作により、表示部５４ｂ１に表示される画像の向きが、正向き（図３参照）から逆向き（図６参照）に変更される。
【００４６】
そして、上下左右を入れ替えられた巻取体５１に対し、開閉体１０の上端側が止着される（図５参照）。
【００４７】
したがって、作業者等は、巻取装置５０から開閉体１０を繰り出した全閉状態において、点検口３１ｂを開放すれば、表示部５４ｂ１に、上下の向きが正しい画像（図６参照）を視認することができる。
このため、作業者等が表示部５４ｂ１に表示される画像（例えば、障害物感知装置の感度や、エラーコード、各種設定値、回転速度等）を見間違えるようなことを低減することができる。
しかも、表示部５４ｂ１に表示される画像の向きは、操作スイッチ５４ｂ２の機械的な位置によって保持されるため、電源遮断により消失することがない。
【００４８】
また、作業者等は、コード読取り装置（例えば携帯端末等）によってコード表示部５４ｃの読取りを行えば、制御部５４に関する情報又は制御部５４に関連付けされた情報を、前記コード読取り装置に表示させて視認することができる。
【００４９】
さらに、作業者等は、蓋部材５４ａ１を外せば、蓋部材５４ａ１裏面のラベル５４ｄに記載された情報を視認することができる。
【００５０】
＜制御部の操作について＞
次に、制御部５４の操作、具体的には操作スイッチ５４ｂ２の切り替え手順、操作等について、より詳細に説明する。
【００５１】
この操作方法は、上記構成の開閉装置Ａについて、巻取体５１外周の貫通部５１ｃ（具体的には周方向に隣接する棒状部材５１ａ，５１ａ間の空間）を、開閉体１０によって覆われていない露出状態にする工程と、この工程の後に、操作スイッチ５４ｂ２に対する操作を行う工程とを含む。
【００５２】
すなわち、操作スイッチ５４ｂ２を操作するためには、操作スイッチ５４ｂ２を、外部から手等で操作可能な露出状態にしておく必要がある。操作スイッチ５４ｂ２が常に露出状態であったり、操作スイッチ５４ｂ２が、解放容易なケース等に収められている場合には、操作スイッチ５４ｂ２の操作を行うのは比較的容易である。
【００５３】
一方、例えば、開閉体１０の全開時や、ある程度の開放時等には、操作スイッチ５４ｂ２が、巻取体５１に巻かれた開閉体１０によって覆われた遮蔽状態になる。このような場合には、操作スイッチ５４ｂ２を露出状態にするのが面倒である。
したがって、操作スイッチ５４ｂ２の操作が必要な場合には、開閉体１０を巻取体５１に巻く前に、露出状態にある操作スイッチ５４ｂ２に対し、予め、切り替え作業等のスイッチ操作を行っておくことが好ましい。
【００５４】
例えば、当該開閉装置Ａの出荷前に、工場等にて開閉体１０を巻取体５１に巻く前に、望みの左右勝手になるように予め操作スイッチ５４ｂ２に対する設定作業（切り替え作業）を行い、その後、開閉体１０を巻取体５１に巻き取る作業（吊り込み作業を含む）を行えばよい。
このようにして操作された操作スイッチ５４ｂ２は、自己保持スイッチであるので、前記のようにして設定された状態を、巻取体５１が開閉体１０によって巻かれ覆われた遮蔽状態になった後も維持する。
【００５５】
ところで、操作スイッチ５４ｂ２が巻取体５１に巻かれた開閉体１０によって遮蔽された状態のときに、この操作スイッチ５４ｂ２に対する切り替え操作を要する場合がある。
例えば、開閉装置Ａが現場に設置された段階で左右勝手を誤って逆に設定していたことが判明した場合等がこれに相当する。このような場合には、開閉体１０をある程度、例えば、半閉状態や全閉状態になるように繰り出した状態にして、操作スイッチ５４ｂ２を露出させて、この操作スイッチ５４ｂ２に対し切り替え操作を行い、この後に通常の開閉動作が行われるようにすればよい。
【００５６】
なお、開閉装置Ａによっては、開閉体１０を全閉状態に繰り出しても未だ開閉体１０の一部（例えば、可撓性シート等の柔軟な材質のように金属製スラットと異なる場合も含む）が、巻取体５１の周囲に残っていて（いわゆる捨て巻き状態で）操作スイッチ５４ｂ２が遮蔽されている場合がある。このような場合には、全閉になってからも手動で又は強制閉鎖動作により開閉体１０をさらに繰り出して、巻取体５１周囲の開閉体１０の一部を繰り出して、操作スイッチ５４ｂ２を露出させ、この操作スイッチ５４ｂ２に対し切り替え操作を行い、この後に元の通常開閉動作が可能な状態にすればよい。
【００５７】
上述したように、操作スイッチ５４ｂ２が、巻取体５１に巻かれた開閉体１０によって遮蔽されていることは操作スイッチ５４ｂ２を切り替え操作する観点では不便な点であるが、一方、遮蔽されていることにより操作スイッチ５４ｂ２を塵埃や衝撃等から保護でき、さらに操作スイッチ５４ｂ２を、無意識または不当な故意による切り替え操作等からも保護することが期待できる。
【００５８】
＜他の変形例＞
なお、上記実施態様によれば、表示部５４ｂ１の画像の向きを操作スイッチ５４ｂ２での手動操作により切り替えるようにしたが、他の好ましい一例としては、巻取装置５０が正向きであるか逆向きであるかを感知する姿勢感知部（例えば姿勢センサや、リミットスイッチ等）を備え、この姿勢感知部の感知信号に応じて、制御部５４が表示部５４ｂ１に表示される画像の向きを自動的に適正な向きにする態様することも可能である。
【００５９】
また、上記実施態様によれば、表示部５４ｂ１の表示は、共通の画像を、反転前と反転後で逆さに表示するようにしたが、好ましい他例としては、反転前と反転後で前記画像自体の態様を異ならせるようにしてもよい。
例えば、前記画像が文字である場合に、反転前後で、斜字、太字、細字を変化させる等、字体や書体を変化させるようにしてもよい。さらに他例といては、反転の前後で、前記画像の表示色を変化させるようにしてもよい。
このようにすれば、その画像を視認した第三者に、表示反転手段の操作があったか否かを容易に認識させることができる。
【００６０】
また、上記実施態様において、右勝手と左勝手を変更した場合、巻取装置５０の上下左右を入れ替える以外、他の構成については何ら変更がなくそのまま共通に使用できることが好ましいが、必要に応じて、若干変更される要素があるようにしてもよい。例えば、固定軸５２を受ける軸受けブラケット等が左右勝手で構造が異なる場合には、巻取装置５０の端部構造を変更したり、開閉体１０の取り付けのための穴位置や吊元等の部品を変更したり等してもよい。
【００６１】
また、上記実施態様によれば、表示部５４ｂ１に表示される画像の向きを操作スイッチ５４ｂ２により設定するようにしたが、他例としては、リモコン装置４０による指示や、図示しない有線での開閉停スイッチでの特殊操作（例えば多重押し操作等）による指示等により、前記画像の向きが設定されるようにしてもよい。
【００６２】
上記実施の形態では、表示部５４ｂ１に表示される画像を二桁以上の数字とし、この二桁以上の数字全体について、その上下左右を反転（換言すれば全体を略１８０回転）させたが（図３及び図６参照）、前記画像は、反転した際に少なくともその一部を上下逆さまにして、反転前とは異なる表示形状になるものとするのが好ましい。言い換えれば、前記画像は、上下対称な表示形状のみからなる画像でないものが好ましい。
例えば、前記画像は、上下左右を反転した際に異なる表示形状になる一桁のみの数字とすることが可能である。
さらに、前記画像は、上下左右を反転した際に異なる表示形状になる二行以上の文字とすることも可能である。
【００６３】
また、上記実施態様によれば、貫通部５１ｃを周方向に隣接する棒状部材５１ａ，５１ａの間の空間としたが、他例としては、巻取体を円筒状に形成するとともに該巻取体の周壁に形成した孔や切欠を前記貫通部とすることも可能である。
【００６４】
また、本発明は上述した実施態様に限定されず、本発明の要旨を変更しない範囲で適宜変更可能である。
【符号の説明】
【００６５】
１０：開閉体
２０：ガイドレール
３０：収納部
４０：リモコン装置
５０：巻取装置
５１：巻取体
５１ｃ：貫通部
５２：固定軸
５３：開閉機
５４：制御部（表示反転手段）
５４ａ：ケース
５４ａ１：蓋部材
５４ａ２：本体ケース部
５４ａ３：補助ケース部
５４ｂ１：表示部
５４ｃ：コード表示部
５４ｄ：ラベル
５４ｂ２：操作スイッチ（表示反転手段）
Ａ，Ａ’：開閉装置
Ｐ：仮想平面
【図１】
2019218758.tif 000003
【図２】
2019218758.tif 000004
【図３】
2019218758.tif 000005
【図４】
2019218758.tif 000006
【図５】
2019218758.tif 000007
【図６】
2019218758.tif 000008